(57)【要約】【課題】購入商品を安定かつ衛生的に運べ、かつプライバシーが守られ、内容量の増減にかかわらず、迅速に蓋が開閉でき、販売確認が容易な安価なカバーを提供する。【解決手段】レジかご上部の開口部に装着するカバーであって、撥水性で柔軟、かつ洗濯できる生地からなるカバー本体で、開口部を覆うための上部蓋（７）、また上部蓋を仮留めするための羽部（８ＡＢＣ）の面ファスナー雄（８ａｂｃ）と外縁部面ファスナー雌（９ａｂｃ）からなる開口部開閉手段と開口部蓋仮留め手段。かつ、カバー全体の可動装着手段（図５、図６）と外縁部上部ゴムによる内容物保持手段と、カバー本体の固定装着手段と正位置に装着する手段。それに加えクリアポケット（１０）を備えた支払確認認識手段を有する構造からなるレジかごカバーである。【選択図】図１
2010187955.tif 000002
【特許請求の範囲】
【請求項１】
スーパーマーケットにおいて買い物客が持参する個人用レジカゴの開口部に装着するカバーであって、面ファスナーを設けた３箇所の羽部で仮留めでき、購入した荷物を覆うことができる上部蓋とその蓋の１辺を固定し、３箇所の羽部の面ファスナーを受け止めることができる外縁部を有する事を特徴としたレジかごカバー。
【請求項２】
前記カバー本体は前述外縁部の上部端にテンションの弱いゴムを通し、下部端にテンションの強いゴムを通した強度の違う２本のゴムを設けた事を特徴とする請求項1記載のレジかごカバー。
【請求項３】
前記カバー本体をレジかごに装着した時に前述外縁部のレジかごに沿う４面のうち、レジかごの持ち手部分が付属されている面に沿う２面の生地の幅を狭くし、付属されていない面に沿う２面の生地の幅を広くした事とそれにより生まれる生地のカーブを有する事を特徴とする請求項１または２記載のレジかごカバー。
【請求項４】
前記カバー本体における上部蓋にレシート等の販売証明書をいれることが出来るクリアポケット備えることを特徴とする請求項１または２または３に記載のレジかごカバー。 
【発明の詳細な説明】
【技術分野】
【０００１】
この発明は、個人用レジかご上部に用いる開閉可能なカバーに関するものである。
【背景技術】
【０００２】
近年、ごみの減量化およびＣＯ２排出量削減の提唱により、買い物客に対して無償で配布していたレジ袋を有料化する動きがある。すでに有料化されている地域もあり、その地域に於いては購入後、持参のいわゆるマイバッグに移し替える、もしくはレジ袋を購入し移し替える必要がある。その他の手段の一つとして店のレジかごと同じ形状の個人用レジかごがある。現在ではスーパーを利用するほとんどの客がこの３種類の使用方法のいずれかに当てはまる。
【０００３】
この中でも個人用レジかごを使用する場合、レジにて個人用レジカゴをレジ店員に預ければ金額を読み取った商品を直接個人用レジかごに移動させてくれるため為、その他袋等に移し替える手間がなく大変利便性が高い。
【０００４】
しかしながら、購入後、販売証明としてレジかごに図８のように簡易的な帯状の紙をセロハンテープでとめて印をつけるだけである。これでは購入した商品がほぼ剥き出しになっている。
【０００５】
そこで、特許文献1または２または３のレジかごカバーを個人用レジかごに装着して使用することが考えられる。これらのカバーは何れも個人用レジかごに装着し、カゴ上部開口部を閉じることができるため同様な効果が得られるとも思われる。
【０００６】
しかしながら個人用レジかごで買い物する場合、かごの容量の１００パーセントを超える量を購入する場合も考えなくてはならない。しかし特許文献1または２または３記載のカバーは内容量によってカバー自体を調節する機能が無く、購入した商品がかご上部から越えるような時には蓋をする事が容易でない、もしくは蓋を閉めること自体が不可能となるため、内容量の多い少ないにかかわらず蓋ができるカバーが切望されていた。
【０００７】
上記で挙げたように、購入商品が剥き出しになっているため衛生上、プライバシーの点から考えても蓋が出来るカバーは切望される。しかしながら、特許文献１または２においては蓋１箇所を固定し、対する辺に付けられた係止部分の合わせて２箇所によって蓋全体を固定するものであり、４辺からなる蓋のうち２辺のみが固定できる形である。残りの２辺は固定が出来ておらず、蓋をしても横側が開いている状態であり、長尺物などの内容物や内容量によっては中身が一見して見える恐れがある。かつ、２辺が広く開いている事で、中身が飛び出したりする恐れがあるため、長尺物などを入れたときも、開口部をほぼ閉じることができ、中身を安定して収めることが出来るカバーが切望されていた。
【０００８】
カバーは生鮮食品に直接触れるものであるため、清潔に保つために、汚れた場合は洗うなどの処置が必要となる。特許文献２においては、装着の際にレジかごの取っ手を外す必要があり、簡単に着脱できるものではない。レジかごの取っ手を取り外しをすることは容易ではない。ましてや何度も取り外しすることは現実的ではなく、この特許文献２は何度も着脱することを前提としていないものであり、蓋ができる機能を備え、着脱が容易に出来、清潔に保つことが出来るカバーが切望されていた。
【０００９】
手軽に使用でき、蓋の４辺を閉めることができる点、着脱できる点から言えば、特許文献３が挙げられる。しかしながら、特許文献３のように完全に蓋をするとなれば長尺物（ごぼうや大根など）を入れることが不可能となるため、長尺物も入れられ、かつ、ほぼ蓋で覆うことが出来るカバーが切望されていた。
それに加え、この特許文献３においては、カバーをレジかごと別にもっていかなくてはならない。カバーをカゴとは別に管理する必要がある上、会計後鞄等からカバーを取り出し装着するとなっては手間・時間共に無駄が多いため、カゴに装着したまま保管が出来、かつ迅速に蓋をすることが出来るカバーが切望されていた。
【００１０】
レジかごはほぼ形状が同じだが、そのために他人と自分所有の区別が付きにくく、個性がない。さまざまな色や柄のあるエコバッグのようにファッション性に富んだ個人用レジかごが切望されていた。
【００１１】
個人用レジかごで購入後、レジ店員に販売証明として紙製の細長い帯をセロハンテープでとめているが、ごみの減量化およびＣＯ２排出量削減のために、さらなる紙やセロハンテープの減量が切望されていた。
【００１２】
個人用レジかごで購入後、販売証明として紙製の細い帯をテープでとめているだけで、購入商品がほぼ剥き出しになっており、買い忘れなどで再度売り場に戻ることは支払い確認が取り辛く、客・店側双方に不快が生じる。これは特許文献１または２または３のカバーをすることによって解消されるが、より支払い確認が容易に認識できるよう、レシート等の販売証明を提示することができるカバーが切望されていた。
【特許文献１】特開２００７−００７２３５号公報
【特許文献２】実登３１４５５９２号公報
【特許文献３】実登３１３２２４２号公報
【発明の開示】
【発明が解決しようとする課題】
【００１３】
従来、個人用レジかごによる商品購入後は現在、販売証明として細い帯状の紙をテープで留めているだけで、食材など購入した商品が露出している。よって、他の店舗に入ることが衛生上や周囲の視線を意識してしまい、また、購入した内容物を不特定多数に知られることとなり、特にエレベータ内など至近距離で見られる事においては、かなりの不快感が伴うため購入商品を覆う必要がある。
【００１４】
それに加え、買い足しに販売エリアに戻る場合、購入商品が露出している為、支払いの確認が取り辛く誤解を招く恐れがあり躊躇される。支払い確認の点から見ても購入商品を覆う必要がある。また、近年、多店舗複合型の大型ショッピングセンターも多く見られるようになった。このような施設内の複数店舗に出入りする場合も同様に販売確認が取り辛く誤解を招く恐れがあり躊躇される。
【００１５】
ただ蓋をするだけでなく、商品の購入量には個人差がある為、少ないときも多いときも、商品の形状などにかかわらず、長尺物があるときも安定してカバーできるよう調節機能を持たせることが必要である。
【００１６】
また、蓋を別で持参するとなれば、忘れたり、装着に手間がかかる。使用しない時もかごとは別に管理するのは不便であるので工夫する必要がある。なおかつ汚れた時などは容易に取り外しできるようにする必要と洗濯できる生地を使用する必要がある。
【００１７】
更なるごみの減量化およびＣＯ２排出量削減と、より支払い確認が容易に認識できるよう、レシート等の販売証明を提示することができるようにする必要がある。
【００１８】
また、安価でファッション性に富むものが求められる。
【００１９】
そこで、この発明は、個人用レジかご上部に内容量により調節可能で、かつ、装着したまま蓋だけを開閉することができ、一目で支払い確認が出来、着脱可能でファッション性に富んだ安価なカバーを取り付けることにより問題解決を提供する事を課題とするものである。
【課題を解決するための手段】
【００２０】
上記課題を解決するために本発明のレジかごカバーは、レジかご上部の開口部に装着するカバーであって、ナイロンまたはポリエステル製などの撥水性で柔軟、かつ洗濯できる生地からなるカバー本体であること。
【００２１】
内容物の増減により高さが調節可能になるように、かつ、レジかご側面にカバーを保持する必要があるため、外縁部の生地上下の端にそれぞれゴムを通すことで２本のゴムによってレジかご側面における保持手段を有すること。
【００２２】
外縁部の生地を上下させることにより、カバー全体を上下に動かすことが可能になる可動式装着手段を有すること。
【００２３】
なおかつ上部のゴムのテンションを弱くすることにより、内容物を入れた際、柔らかなものでも安定してカゴを運ぶことが出来る内容物保持手段と、下部ゴムのテンションを強くすることにより、蓋を開閉した際、不用意にカゴから外れることを防ぐことができるカバー本体の固定装着手段を有すること。
【００２４】
外縁部をレジかごに装着した際、レジかごに沿う生地の４面のうちのレジかごの持ち手部分が付属されている面に沿う２面の生地の幅を狭くし、付属されていない面に沿う２面の生地の幅を広くした事により、レジかごとよりフィットし、高さを変えた場合も内容物をより安定して保持できる可動時における内容物保持手段を有すること。
【００２５】
外縁部の生地の幅を２面ずつ変えることによって生まれるカーブによって正しい位置で装着することが可能となる正位置装着手段を有すること。
【００２６】
外縁部に開口部を覆う上部蓋を設けることにより、購入商品を覆い、開口部を閉じることが出来る開口部開閉手段を有すること。
【００２７】
上部蓋に３箇所の羽部を設け、その羽部にそれぞれ面ファスナー（雄）を設け、外縁部に設けた面ファスナー（雌）で受けることにより蓋が４箇所固定される。この内、３箇所の面ファスナーは仮留めであるので開閉が可能となる開口部蓋仮留手段を有すること。
【００２８】
上部蓋にクリアポケットを設け、レシートや販売証明等を入れることにより、支払い確認が一目でできる支払確認認識手段を有すること。
本発明は以上手段を有する構成よりなるレジかごカバーである。
【００２９】
レジかごカバー本体はナイロンまたはポリエステル製の撥水性で柔軟な生地であればよいので、色・柄等が無数に選べるため、ファッション性も考えられ、安価に提供することが可能である。
また、生地は柔軟なものを使用するため、小さく折りたたむことも可能である。また、生地は洗濯が可能なものとすれば、清潔に保つことが可能である。
【００３０】
図５は購入物が少ない時の図であり、カバー全体が下がっている状態を示すものである。図６は購入物が多い時の図であり、カバー全体が上がっている状態を示すものである。この２つの図が示すように購入物の増減にもカバーが追従し、蓋を閉めることが出来るため、内容物を安定して持ち運ぶことが可能である。  
【発明の効果】
【００３１】
レジかごにカバーを付けることによって、プライバシーが保護されることはもちろん、衛生上、防犯上の利点もある。なおかつ蓋をし、クリアポケットにレシートや販売証明等を入れることで店側もしくは他の買い物客に対して支払い済みの証明を一目で認識させることが出来る。これにより、他の売り場への立ち入りに気を使わなくても良くなる。追加購入の場合、店側も支払い前の商品と支払い後の商品の区別が付きやすい。
【００３２】
カゴから溢れるほど購入した場合も、内容物の増減に蓋が追従して対応する事が可能なため、はみ出すことなく全て覆うことができる。また、長尺物はサイドの隙間から出すことが出来、ほぼ開口部を覆うことが可能である。（図７）
【００３３】
使用していない時にも取り外すことなく装着し続けることができるが、カゴを重ねることには支障がない。レジでは装着したまま蓋だけ開けておけば、レジにて商品をかごに入れてもらったら蓋をし、面ファスナーを留めるだけでよい為、迅速に精算を済ますことができる。
【００３４】
レジかごに装着したまま保管が可能だが、汚れたときなどはすばやく取り外すことが出来る。なおかつ洗濯できる生地を使用するため衛生に保つことが出来る。
【００３５】
店側もレジかごだけの場合は販売証明の帯をテープで留めていたが、カバーを装着することで、その手間を省く事ができる。
【００３６】
エコロジーを掲げた個人用レジかごにもかかわらず、販売証明として帯状の紙とセロハンテープを使用しており違和感を与える。カバーを付け、クリアポケットにレシートや販売証明等を入れることでこれらも解消することができる。  
【００３７】
レジかごの利点である内容物が安定して運搬可能な点はそのままに、デメリットであったプライバシーや内容物の露出、エコロジーにおいても問題は解決できる。
【発明を実施するための最良の形態】
【００３８】
以下、本発明を実施するための形態について図を用いて説明する。
このレジかごカバーはナイロン又はポリエステル等の撥水性、かつ洗濯可能な生地を使用する。
【００３９】
内容物の増減により高さが調節可能になるように、外縁部（１）にテンションの弱いゴム（２）とテンションの強いゴム（３）を設ける。外縁部の上下にこの２本のゴムを通すことによって、レジかご側面に装着・保持する。
【００４０】
（２）のゴムのテンションを弱くすることでやわらかい食材も崩さず蓋ができ、かつ、レジかごを重ねて使う場合も邪魔にならず重ねることができる。（３）のゴムのテンションを強くすることで、蓋の開閉時に不用意に外れてしまうことを防ぐ。
【００４１】
側面がレジかごとフィットするようにかつ、高さを変えた場合も荷物がはみ出さない様に生地の幅が広い（４）と生地の幅が狭い（５）を設ける。この（４）（５）から生まれるカーブ（６）によって正しい装着位置に保持される構造になっている。
【００４２】
外縁部（１）に上部蓋（７）をつける。この上部蓋（７）には３箇所の羽部（８Ａ）（８Ｂ）（８Ｃ）を設ける。その羽部それぞれに面ファスナー雄を付けた（８ａ）（８ｂ）（８ｃ）を設ける。
上記羽部に付けられた面ファスナー雄を受けるため、外縁部に面ファスナー雌（９ａ）（９ｂ）（９ｃ）を設ける。
【００４３】
上部蓋（７）にレシートや販売証明等を入れる事ができるクリアポケット（１０）を設ける。
本発明は以上の要点からなる構造である。
これをレジかごに装着し、使用する時は上部蓋を３箇所の羽部に設けた面ファスナーで留める。
また、使用しない時は上部蓋を開けておく、または上部蓋をたたみ、レジかごと外縁部の生地の上下のゴムの間に保持収納しておける。使用する時は、引き紐（１１）を引き、蓋を引き出せばよい（図９）
【図面の簡単な説明】
【００４４】
【図１】この発明の一実施形態を示す斜視図である。
【図２】この発明の上部蓋展開図である。
【図３】この発明の外縁部展開図である。
【図４】この発明の部分展開図である。
【図５】この発明の内容物が少ない時のカバー全体が下がっている時の図である。
【図６】この発明の内容物が多い時のカバー全体が上がっている時の図である。
【図７】この発明の蓋を閉めた時を示す斜視図である。
【図８】従来の個人用レジカゴの販売証明図である。
【図９】この発明の上部蓋収納時の図である。
【符号の説明】
【００４５】
１  外縁部
２  上部ゴム（弱）
３  下部ゴム（強）
４  側面生地（幅広）
５  側面生地（幅細）
６  （３）（４）からなるカーブ
７  上部蓋
８Ａ  羽部
８Ｂ  羽部
８Ｃ  羽部
８ａ  面ファスナー雄
８ｂ  面ファスナー雄
８ｃ  面ファスナー雄
９ａ  面ファスナー雌
９ｂ  面ファスナー雌  
９ｃ  面ファスナー雌  
１０  クリアポケット
１１  引き紐
【図１】
2010187955.tif 000003
【図２】
2010187955.tif 000004
【図３】
2010187955.tif 000005
【図４】
2010187955.tif 000006
【図５】
2010187955.tif 000007
【図６】
2010187955.tif 000008
【図７】
2010187955.tif 000009
【図８】
2010187955.tif 000010
【図９】
2010187955.tif 000011
【手続補正書】
【提出日】平成21年5月19日(2009.5.19)
【手続補正１】
【補正対象書類名】明細書
【補正対象項目名】全文
【補正方法】変更
【補正の内容】
【発明の詳細な説明】
【技術分野】
【０００１】
この発明は、個人用の買い物籠として使用するレジかごに装着し、そのレジかごの開口部に蓋をするためのレジかごカバーに関する。
【背景技術】
【０００２】
近年、ごみの減量化およびＣＯ２ 排出量削減の提唱により、買い物客に対して無償で配布していたレジ袋を有料化する動きがある。すでに有料化されている地域もあり、その地域に於いては購入後、持参のいわゆるマイバッグに移し替える、もしくはレジ袋を購入し移し替える必要がある。
その他の手段の一つとして店のレジかごと同じ形状にした個人用のレジかごがある。
現在ではスーパーを利用するほとんどの客がこの３種類の使用方法のいずれかに当てはまる。
【０００３】
この中でも個人用のレジかごを使用する場合、レジにて個人用のレジかごを店員に預ければ、金額を読み取った商品を直接個人用のレジかごに移動させてくれるため為、袋等に移し替える手間がなく大変利便性が高い。
【０００４】
しかしながら、個人用のレジかごによる商品購入後は、現在、図９のように販売証明として簡易的な細い帯状の紙をテープで留めているだけで、食材など購入した商品が露出しているため、衛生上や周囲の視線が気になって他の店舗に入り難く、また、購入した内容物を不特定多数に知られることとなり、特にエレベータ内など至近距離で見られる事においては、かなりの不快感が伴う。
【０００５】
それに加え、買い足しに販売エリアに戻る場合、購入商品が露出していると、支払いの確認が取り辛く誤解を招く恐れがあるため躊躇される。また、近年、多店舗複合型の大型ショッピングセンターも多く見られるようになっており、このような施設内の複数店舗に出入りする場合も同様の理由で躊躇される。
【０００６】
また、個人用のレジかごで購入後の販売証明として紙製の細長い帯をテープでとめていたのでは、その紙の帯とテープがゴミになるため、ゴミの減量化およびＣＯ２ 排出量削減への取り組みにとってマイナスである。
【０００７】
そこで、特許文献１〜３のレジかごカバーを個人用のレジかごに装着して使用することが考えられる。これらのレジかごカバーは何れも個人用のレジかごに装着し、上部の開口部を閉じることができるため、袋等に入れたと同様な効果が得られるものと思われる。
【先行技術文献】
【特許文献】
【０００８】
【特許文献１】特開２００７−００７２３５号公報
【特許文献２】実登３１４５５９２号公報
【特許文献３】実登３１３２２４２号公報
【発明の概要】
【発明が解決しようとする課題】
【０００９】
個人用のレジかごで買い物をする場合、かごの容量の１００パーセントを超える量を購入する場合も考えなくてはならない。
しかし特許文献１〜３のレジかごカバーは、内容量によってカバー自体を調節する機能が無く、購入した商品がかご上部から越えるような時には蓋をする事が容易でないか、もしくは蓋を閉めること自体が不可能となる。
【００１０】
また、特許文献２においては、装着の際にレジかごの持ち手を外す必要があり、簡単に着脱できるものではないことはもちろん、レジかごの持ち手を何度も取り外しすること自体現実的ではない。
【００１１】
また、特許文献３のように完全に蓋をするとなれば長尺の内容物（ごぼうや大根など）を入れることが不可能となる。
それに加え、この特許文献３においては、レジかごカバーをレジかごと別にもっていかなくてはならない。レジかごカバーをレジかごとは別に管理する必要がある上、会計後鞄等からレジかごカバーを取り出し装着するとなっては手間・時間共に無駄が多い。
【００１２】
この発明は、上記に鑑みなされたもので、その目的は、個人用のレジかご上部に内容量により調節可能で、かつ、装着したまま蓋だけを開閉することができ、着脱可能でファッション性に富んだレジかごカバーを提供することにある。
【課題を解決するための手段】
【００１３】
上記目的を達成するため本発明は、上面に四角形の開口部を有しその開口部の対向する２辺側に持ち手が設けられているレジかごの前記開口部に装着するレジかごカバーであって、
前記レジかごの開口部周縁に装着する外縁部と、レジかごの開口部を覆う上部蓋とを備え、
前記外縁部は、レジかごの開口部周縁を取り巻く柔軟な生地製の環状体であって、上部端と下部端のそれぞれにゴムを通して窄まり方向に付勢し、さらにレジかごの持ち手側に沿う２面の上下幅を狭くすると共に他の２面の上下幅をそれより広く形成してなり、
一方、前記上部蓋は、柔軟な生地製でしかもレジかごの前記開口部を覆い得る形状であって、１辺を前記外縁部のレジかごの非持ち手側に沿う２面のうちの一方に取り付け、そうしてレジかごの開口部に対し開閉可能に形成し、さらに他の辺に前記外縁部に対して着脱自在に仮留めし得る開口部蓋仮留手段を設けてなるレジかごカバーを提供する。
【００１４】
また、請求項２に記載したように、前記外縁部は、上部端にテンションの弱いゴムを通し、下部端にテンションの強いゴムを通したものであるレジかごカバーを提供する。
【００１５】
また、請求項３に記載したように、前記上部蓋の開口部蓋仮留手段は、前記外縁部に取り付けた１辺を除く３辺のそれぞれに部分的に設けた面ファスナーであり、該面ファスナーが外縁部側に設けた面ファスナーで受け止められるようになっているレジかごカバーを提供する。
【００１６】
また、請求項４に記載したように、前記上部蓋にレシート等の販売証明書を入れるためのクリアポケットを備えてなるレジかごカバーを提供する。
【発明の効果】
【００１７】
レジかごに本発明のレジかごカバーを取り付けることによって、プライバシーが保護されることはもちろん、衛生上、防犯上の利点もある。なおかつ上部蓋をすることで店側もしくは他の買い物客に対して支払い済みであることを一目で認識させることが出来る。これにより、他の売り場への立ち入りに気を使わなくても良くなる。追加購入の場合、店側も支払い前の商品と支払い後の商品の区別が付きやすい。
【００１８】
また、レジかごから溢れるほど購入した場合も、外縁部を引き上げて内容物の増加に追従し対応する事が可能なため、はみ出すことなく全て覆うことができる。
【００１９】
また、外縁部の上下幅を、レジかごに沿う４面のうちのレジかごの持ち手部分が付属されている面に沿う２面について狭くし、付属されていない面に沿う２面について広くした事により、広い上下幅である非持ち手側の面がレジかごの縁から開口部上に深く被さるためレジかごとよりフィットし、高さを変えた場合も内容物をより安定して保持することができる。
【００２０】
また、店側もレジかごだけの場合は販売証明の帯をテープで留めていたが、レジかごカバーを装着することでその手間を省く事ができると共に個人用のレジかごのエコロジー度をより高めることができる。
【００２１】
また、請求項２に記載のレジかごカバーのように、外縁部の上部端のゴムのテンションを弱くすることにより、内容物を入れた際、柔らかなものでも崩さず安定してレジかごを運ぶことができ、一方、下部端のゴムのテンションを強くすることにより、上部蓋を開閉した際、外縁部が不用意にレジかごから外れることを防止する。
【００２２】
また、請求項３に記載したように、前記上部蓋の開口部蓋仮留手段を、外縁部に取り付けた１辺を除く３辺のそれぞれに部分的に設けた面ファスナーとしたことにより、長尺の内容物をサイドの隙間からはみ出させることが出来るから、ほぼ開口部全体を覆うことが可能である。
【００２３】
また、請求項４のように上部蓋にクリアポケットを設け、そのクリアポケットにレシートや販売証明等を入れることにより、支払い確認が一目でできる。
【図面の簡単な説明】
【００２４】
【図１】レジかごにレジかごカバーを装着して上部蓋を開いた状態を示す斜視図である。
【図２】上部蓋の展開図である。
【図３】外縁部の展開図である。
【図４】外縁部に上部蓋を取り付けた状態の一部展開図である。
【図５】レジかごにレジかごカバーを装着した状態を示す正面図である。
【図６】図５のレジかごカバーを引き上げた状態を示す正面図である。
【図７】レジかごにレジかごカバーを装着して上部蓋を閉じた状態を示す斜視図である。
【図８】レジかごカバーの上部蓋を丸めて収納した状態を示す斜視図である。
【図９】従来の個人用のレジかごの販売証明状態を示す斜視図である。
【発明を実施するための形態】
【００２５】
以下、本発明を実施するための形態について図を用いて説明する。
本発明のレジかごカバーは、上面に四角形の開口部を有しその開口部の対向する２辺側に持ち手が設けられているレジかごの前記開口部に装着するものであって、前記レジかごの開口部周縁に装着する外縁部１と、レジかごの開口部を覆う上部蓋７とを備えている。
【００２６】
レジかごカバーは、撥水性を有する柔軟な生地であるナイロンまたはポリエステル製にするとよい。これらは、色・柄等が無数に選べるため、ファッション性がありながら安価に提供することが可能であり、また、生地が柔軟であるため小さく折りたたむことも可能である。そしてさらに、洗濯が可能であるため清潔に保つことができる。
【００２７】
前記外縁部１は、レジかごの開口部周縁を取り巻くように前記生地を環状にしたものであって、内容物の増減により高さが調節可能になるように上下方向に幅が設けられており、上部端にテンションの弱いゴム２が通され、下部端にテンションの強いゴム３が通されている。このように外縁部１の上下にこの２本のゴム２，３を通すことによって、図１のようにレジかごの開口部周縁に装着・保持される。
【００２８】
なお、前記のように外縁部１の上部端のゴム２のテンションを弱くすることでやわらかい食材に触れても当たりが柔らかく、また、別の例えば店用のレジかごを上に重ねて使う場合も邪魔にならず重ねることができる。一方、外縁部１の下部端のゴム３のテンションを強くすることで、上部蓋７の開閉時に不用意に外れてしまうことが防ぎ得る。
【００２９】
外縁部１は、図３に示したように、レジかごに装着した際、レジかごに沿う４面のうちのレジかごの持ち手部分が付属されている面に沿う２面５，５の上下幅を狭くし、持ち手部分が付属されていない面に沿う２面４，４の上下幅を広くしてある。そうすることにより、図１に示したように、広い上下幅である非持ち手側の面４，４がレジかごの縁から開口部側に深く被さるためレジかごとよりフィットし、高さを変えた場合も内容物をより安定して保持することができる。
【００３０】
前記上部蓋７は、レジかごの開口部を覆い得る形状であって、１辺を前記外縁部１のレジかごの非持ち手側に沿う２面４，４のうちの一方に取り付け、そうしてレジかごの開口部に対し開閉可能に形成し、さらに他の辺に前記外縁部１に対して着脱自在に仮留めし得る開口部蓋仮留手段を設けてなる。
【００３１】
この上部蓋７には、３箇所の羽部８Ａ，８Ｂ，８Ｃが設けられ、その羽部８Ａ，８Ｂ，８Ｃのそれぞれに前記開口部蓋仮留手段として雄型の面ファスナー８ａ，８ｂ，８ｃが設けられている。一方、前記外縁部１には、この上部蓋７の面ファスナー８ａ，８ｂ，８ｃを受けるため雌型の面ファスナー９ａ，９ｂ，９ｃが設けられている。
【００３２】
さらにまた上部蓋７には、レシートや販売証明等を入れることができるクリアポケット１０が設けられ、また、自由端の中央に引き紐１１が突設されている。
【００３３】
本発明のレジかごカバーは以上の構成であるため、外縁部１のゴム２，３を手で伸ばして拡げつつ、開口部側からレジかごの開口部周縁に被せて手を離す。そうするとゴム３が縮んで図１のように外縁部１の下部端でレジかごの側面上部を締めて取り付き、一方、ゴム２が縮んで外縁部１の上部端がレジかごの開口部上面に張り出して被さる。もちろんレジかごの持ち手部側では、図１に示したようにその持ち手が邪魔するため外縁部１の上部端はレジかごの開口部上面に被さらないが、前記のように外縁部１の面４，４の上下幅を大きくしたため、図１に示したようにその面４，４がレジかごの開口部上面に深く被さって安定する。
そして、レジかごに内容物を入れる前は上部蓋７をレジかごの外側に垂らして開けておき、内容物を入れてから上部蓋７をレジかごの開口部上面に被せて羽部８Ａ，８Ｂ，８Ｃに設けた面ファスナー８ａ，８ｂ，８ｃを外縁部１に留める。その後、好ましくは上部蓋７に設けたクリアポケットにレシートや販売証明等を入れておくことにより、支払い確認が一目でできる。
なお、上部蓋７は、図８のように、畳んでレジかごと外縁部１の生地の上下のゴム２，３の間に保持収納しておくこともできる。その場合、上部蓋７を使用する時は、自由端の中央に突設した引き紐１１を使って引き出せばよい。
【００３４】
図５は、レジかごカバー全体が下がっている状態を示したものであり、購入した内容物が少ない場合に対応する。一方、図６は、図５の状態からレジかごカバー全体を引き上げた状態を示したものであり、購入した内容物が多い場合に対応する。この２つの図が示すように内容物の増減にもレジかごカバーを追従させて上部蓋７を閉めることが出来るため、内容物を安定して持ち運ぶことが可能である。
【００３５】
また、上記と逆の手順を実行すれば外縁部１が簡単に取り外せるため、汚れた時などは取り外して洗濯することができる。
【符号の説明】
【００３６】
１ …外縁部
２ …上部端のゴム
３ …下部端のゴム
４，４ …外縁部の幅広の面
５，５ …外縁部の幅狭の面
７ …上部蓋
８ａ，８ｂ，８ｃ …面ファスナー（開口部蓋仮留手段）
１０ …クリアポケット
【手続補正２】
【補正対象書類名】特許請求の範囲
【補正対象項目名】全文
【補正方法】変更
【補正の内容】
【特許請求の範囲】
【請求項１】
上面に四角形の開口部を有しその開口部の対向する２辺側に持ち手が設けられているレジかごの前記開口部に装着するレジかごカバーであって、
前記レジかごの開口部周縁に装着する外縁部と、レジかごの開口部を覆う上部蓋とを備え、
前記外縁部は、レジかごの開口部周縁を取り巻く柔軟な生地製の環状体であって、上部端と下部端のそれぞれにゴムを通して窄まり方向に付勢し、さらにレジかごの持ち手側に沿う２面の上下幅を狭くすると共に他の２面の上下幅をそれより広く形成してなり、
一方、前記上部蓋は、柔軟な生地製でしかもレジかごの前記開口部を覆い得る形状であって、１辺を前記外縁部のレジかごの非持ち手側に沿う２面のうちの一方に取り付け、そうしてレジかごの開口部に対し開閉可能に形成し、さらに他の辺に前記外縁部に対して着脱自在に仮留めし得る開口部蓋仮留手段を設けてなることを特徴とするレジかごカバー。
【請求項２】
前記外縁部は、上部端にテンションの弱いゴムを通し、下部端にテンションの強いゴムを通したものであることを特徴とする請求項１記載のレジかごカバー。
【請求項３】
前記上部蓋の開口部蓋仮留手段は、前記外縁部に取り付けた１辺を除く３辺のそれぞれに部分的に設けた面ファスナーであり、該面ファスナーが外縁部側に設けた面ファスナーで受け止められるようになっていることを特徴とする請求項１又は２記載のレジかごカバー。
【請求項４】
前記上部蓋にレシート等の販売証明書を入れるためのクリアポケットを備えてなることを特徴とする請求項１乃至３の何れか１項に記載のレジかごカバー。
【手続補正３】
【補正対象書類名】図面
【補正対象項目名】全図
【補正方法】変更
【補正の内容】
【図１】
2010187955.tif 000012
【図２】
2010187955.tif 000013
【図３】
2010187955.tif 000014
【図４】
2010187955.tif 000015
【図５】
2010187955.tif 000016
【図６】
2010187955.tif 000017
【図７】
2010187955.tif 000018
【図８】
2010187955.tif 000019
【図９】
2010187955.tif 000020